【手続補正書】
【提出日】平成22年6月2日(2010.6.2)
【手続補正１】
【補正対象書類名】特許請求の範囲
【補正対象項目名】全文
【補正方法】変更
【補正の内容】
【特許請求の範囲】
【請求項１】
（Ａ）カルボキシル基含有樹脂、（Ｂ）下記一般式（Ｉ）で示されるリン元素含有アクリレート、（Ｃ）光重合開始剤を含有することを特徴とする感光性樹脂組成物。
【化１】
2008299293.tif 000001
（式中、Ｒ１は、アクリレート残基を表す。）
【請求項２】
前記光重合開始剤（Ｃ）が、オキシム系光重合開始剤（Ｃ’）であることを特徴とする請求項１に記載の感光性樹脂組成物。
【請求項３】
前記カルボキシル基含有樹脂（Ａ）が、ビスフェノールＡ骨格、ビスフェノールＦ骨格、ビフェニル骨格、ビキシレノール骨格もしくはその水添骨格である構造を有する樹脂であることを特徴とする請求項１又は２に記載の感光性樹脂組成物。
【請求項４】
前記カルボキシル基含有樹脂（Ａ）が、ウレタン構造を有する樹脂であることを特徴とする請求項１乃至３のいずれか一項に記載の感光性樹脂組成物。
【請求項５】
前記カルボキシル基含有樹脂（Ａ）が、２個以上のラジカル重合性不飽和二重結合を有する樹脂であることを特徴とする請求項１乃至４のいずれか一項に記載の感光性樹脂組成物。
【請求項６】
前記光重合開始剤（Ｃ）が、下記一般式（II）で表されるオキシムエステル系光重合開始剤（Ｃ１）、又は、該オキシムエステル系光重合開始剤（Ｃ１）と、下記一般式（III）で表されるアミノアセトフェノン系光重合開始剤（Ｃ２）及び／又は下記一般式（IV）で表されるアシルホスフィンオキサイド系光重合開始剤（Ｃ３）との混合物であることを特徴とする請求項１乃至５のいずれか一項に記載の感光性樹脂組成物。
【化２】
2008299293.tif 000002
（式中、Ｒ２は、水素原子、フェニル基（炭素数１〜６のアルキル基、フェニル基、若しくはハロゲン原子で置換されていてもよい）、炭素数１〜２０のアルキル基（１個以上の水酸基で置換されていてもよく、アルキル鎖の中間に１個以上の酸素原子を有していてもよい）、炭素数５〜８のシクロアルキル基、炭素数２〜２０のアルカノイル基又はベンゾイル基（炭素数が１〜６のアルキル基若しくはフェニル基で置換されていてもよい）を表し、
Ｒ３は、フェニル基（炭素数１〜６のアルキル基、フェニル基若しくはハロゲン原子で置換されていてもよい）、炭素数１〜２０のアルキル基（１個以上の水酸基で置換されていてもよく、アルキル鎖の中間に１個以上の酸素原子を有していてもよい）、炭素数５〜８のシクロアルキル基、炭素数２〜２０のアルカノイル基又はベンゾイル基（炭素数が１〜６のアルキル基若しくはフェニル基で置換されていてもよい）を表し、
Ｒ４及びＲ５は、それぞれ独立に、炭素数１〜１２のアルキル基又はアリールアルキル基を表し、
Ｒ６及びＲ７は、それぞれ独立に、水素原子、炭素数１〜６のアルキル基、又は２つが結合した環状アルキルエーテル基を表し、
Ｒ８及びＲ９は、それぞれ独立に、炭素数１〜１０の直鎖状又は分岐状のアルキル基、炭素数１〜１０の直鎖状又は分岐状のアルコキシ基、シクロヘキシル基、シクロペンチル基、アリール基、又はハロゲン原子、アルキル基若しくはアルコキシ基で置換されたアリール基を表し、但し、Ｒ８及びＲ９の一方は、Ｒ−Ｃ（＝Ｏ）−基（ここでＲは、炭素数１〜２０の炭化水素基）を表してもよい）。
【請求項７】
前記一般式（II）で表されるオキシムエステル系光重合開始剤（Ｃ１）が、下記式（Ｖ）で表されるオキシムエステル系光重合開始剤であることを特徴とする請求項６に記載の感光性樹脂組成物。
【化３】
2008299293.tif 000003
【請求項８】
前記一般式（II）で表されるオキシムエステル系光重合開始剤（Ｃ１）が、下記式（VI）で表されるオキシムエステル系光重合開始剤であることを特徴とする請求項６に記載の感光性樹脂組成物
【化４】
2008299293.tif 000004
（式中、Ｒ１０は、水素原子、ハロゲン原子、炭素数１〜１２のアルキル基、シクロペンチル基、シクロヘキシル基、フェニル基、ベンジル基、ベンゾイル基、炭素数２〜１２のアルカノイル基、炭素数２〜１２のアルコキシカルボニル基（アルコキシル基を構成するアルキル基の炭素数が２以上の場合、アルキル基は１個以上の水酸基で置換されていてもよく、アルキル鎖の中間に１個以上の酸素原子を有していてもよい）、又はフェノキシカルボニル基を表し、
Ｒ１1、Ｒ１3は、それぞれ独立に、フェニル基（炭素数１〜６のアルキル基、フェニル基若しくはハロゲン原子で置換されていてもよい）、炭素数１〜２０のアルキル基（１個以上の水酸基で置換されていてもよく、アルキル鎖の中間に１個以上の酸素原子を有していてもよい）、炭素数５〜８のシクロアルキル基、炭素数２〜２０のアルカノイル基又はベンゾイル基（炭素数が１〜６のアルキル基若しくはフェニル基で置換されていてもよい）を表し、
Ｒ１2は、水素原子、フェニル基（炭素数１〜６のアルキル基、フェニル基若しくはハロゲン原子で置換されていてもよい）、炭素数１〜２０のアルキル基（１個以上の水酸基で置換されていてもよく、アルキル鎖の中間に１個以上の酸素原子を有していてもよい）、炭素数５〜８のシクロアルキル基、炭素数２〜２０のアルカノイル基又はベンゾイル基（炭素数が１〜６のアルキル基若しくはフェニル基で置換されていてもよい）を表す。）
【請求項９】
さらに（Ｄ）熱硬化成分を含有することを特徴とする請求項１乃至８のいずれか一項に記載の感光性樹脂組成物。
【請求項１０】
前記熱硬化成分（Ｄ）がエポキシ樹脂であることを特徴とする請求項９に記載の感光性樹脂組成物。
【請求項１１】
さらに有機リン系難燃剤（Ｅ）を含有することを特徴とする請求項１乃至１０のいずれか一項に記載の感光性樹脂組成物。
【請求項１２】
前記有機リン系難燃剤（Ｅ）が、エポキシ樹脂と反応可能な反応性基を有する有機リン系難燃剤であることを特徴とする請求項１１に記載の感光性樹脂組成物。
【請求項１３】
前記請求項１乃至１２のいずれか一項に記載の感光性樹脂組成物を、キャリアフィルムに塗布・乾燥して得られる感光性ドライフィルム。
【請求項１４】
前記請求項１乃至１２のいずれか一項に記載の感光性樹脂組成物、又は前記請求項１３に記載の感光性ドライフィルムを、銅上にて光硬化して得られる硬化物。
【請求項１５】
前記請求項１乃至１２のいずれか一項に記載の感光性樹脂組成物、又は前記請求項１３に記載の感光性ドライフィルムを、光硬化して得られるレジストパターンを有するフレキシブル配線板。
【請求項１６】
前記請求項１乃至１２のいずれか一項に記載の感光性樹脂組成物、又は前記請求項１３に記載の感光性ドライフィルムがフレキシブル配線板用ソルダーレジストであることを特徴とする感光性樹脂組成物。
【手続補正２】
【補正対象書類名】明細書
【補正対象項目名】０００６
【補正方法】変更
【補正の内容】
【０００６】
前記目的を達成するために、本発明によれば、（Ａ）カルボキシル基含有樹脂、（Ｂ）後述する一般式（Ｉ）で示されるリン元素含有アクリレート、（Ｃ）光重合開始剤を含有することを特徴とする感光性樹脂組成物が提供される。
【手続補正３】
【補正対象書類名】明細書
【補正対象項目名】０００９
【補正方法】変更
【補正の内容】
【０００９】
さらに（Ｄ）熱硬化成分を含有することが好ましく、それによって諸特性に優れたソルダーレジストを形成することができる。上記熱硬化成分（Ｄ）は、エポキシ樹脂であることが好ましい。
【手続補正４】
【補正対象書類名】明細書
【補正対象項目名】００３１
【補正方法】変更
【補正の内容】
【００３１】
このような光重合開始剤（Ｂ）の配合量は、前記カルボキシル基含有樹脂（Ａ）１００質量部に対して、０．０１〜３０質量部、好ましくは０．５〜１５質量部の範囲が適当である。０．０１質量部未満であると、銅上での光硬化性が不足し、塗膜が剥離したり、耐薬品性等の塗膜特性が低下するので好ましくない。一方、３０質量部を超えると、光重合開始剤（Ｂ）のソルダーレジスト塗膜表面での光吸収が激しくなり、深部硬化性が低下する傾向があるために好ましくない。